(57)【要約】      （修正有）【課題】所望のバックライト厚み、且つ従来技術では達成し得なかった少ない個数の点光源を配置したバックライトにおいて、優れた輝度及び輝度均一性の両立が可能となる拡散板、及び前記拡散板を用いたバックライト装置を提供する。【解決手段】表面に複数の凹部を有する光拡散板であって、該凹部が、略逆多角錐又は略逆多角錐台形状であり、該凹部の少なくとも１つの内側面は、開口縁部において、曲率中心が凹部の深さ方向側に位置する曲面となっている、点光源用光拡散板。【選択図】図３
2010117707.tif 000002
【特許請求の範囲】
【請求項１】
表面に複数の凹部を有する光拡散板であって、
該凹部が、略逆多角錐又は略逆多角錐台形状であり、
該凹部の少なくとも１つの内側面は、開口縁部において、曲率中心が凹部の深さ方向側に位置する曲面となっている、点光源用光拡散板。
【請求項２】
前記凹部が、光拡散板の水平面の短手方向及び長手方向に対して対称な内側面を一組以上有する、請求項１に記載の点光源用光拡散板。
【請求項３】
反光源面側から入射した光のＪＩＳ  Ｋ−７３６１に準拠して測定した全光線透過率（Ａ）が６５〜１００％である、請求項１に記載の点光源用光拡散板。
【請求項４】
光源面側から入射した光のＪＩＳ  Ｋ−７３６１に準拠して測定した全光線透過率（Ｂ）が３０〜８０％である、請求項３に記載の点光源用光拡散板。
【請求項５】
前記全光線透過率（Ａ）が７０〜９５％、且つ全光線透過率（Ｂ）が４５〜６５％である請求項４に記載の点光源用光拡散板。
【請求項６】
以下に定義する交差角（Ｅ）が３８〜５５度である、請求項５に記載の点光源用光拡散板：
交差角（Ｅ）とは、光拡散板の水平面に対して垂直な面(縦断面)で、逆多角錐形状凹部の頂点又は逆多角錐台形状凹部の底面を通り、かつ、前記開口縁部において曲率中心が凹部の深さ方向側に位置する曲面となっている内側面を垂直に横切るように切断したときに現れる断面において、直線部と光拡散板の表面に水平な線とが成す角である。
【請求項７】
前記交差角（Ｅ）が４８〜５２度である、請求項６に記載の点光源用光拡散板。
【請求項８】
下記式（１）で表される直線部の割合（Ｃ）が３０％〜９５％であり、且つ、下記式（２）で表される曲線部の割合（Ｄ）が５〜７０％である、請求項７に記載の点光源用光拡散板。
（Ｃ）＝ａ１／ａ２×１００（％）            ・・・・（１）
（Ｄ）＝（ａ２−ａ１）／ａ２×１００（％）  ・・・・（２）
（式中、ａ１は光拡散板を、光拡散板の水平面に対して垂直な面(縦断面)で、逆多角錐形状凹部の頂点又は逆多角錐台形状凹部の底面を通り、かつ、前記開口縁部において曲率中心が凹部の深さ方向側に位置する曲面となっている内側面を垂直に横切るように切断したときに現れる断面において、直線部を光拡散板の水平線方向に投影した投影線の長さであり、
ａ２は前記断面において、内側面に該当する部分を光拡散板の水平線方向に投影したときの投影線の長さを示す。）
【請求項９】
前記凹部が片面にのみ形成されている、請求項８に記載の点光源用光拡散板。
【請求項１０】
前記凹部が周期的に形成されており、光拡散板の長手方向及び短手方向の配列ピッチがいずれも１０〜１０００μｍである、請求項９に記載の点光源用光拡散板。
【請求項１１】
前記凹部が形成された面とは反対側の面の算術平均粗さが１〜１５０μｍである、請求項１０に記載の点光源用光拡散板。
【請求項１２】
点光源を配置した光源部と、請求項１から１１のいずれかに記載の光拡散板とを備えた直下型点光源バックライト装置。
【請求項１３】
前記点光源が格子状、又は千鳥状に配置された、請求項１２に記載の直下型点光源バックライト装置。
【請求項１４】
前記点光源が千鳥状に配置された、請求項１２に記載の直下型点光源バックライト装置。
【請求項１５】
前記点光源が、光のピーク角が２０°から８０°の広角ＬＥＤ光源である、請求項１４に記載の直下型点光源バックライト装置。
【請求項１６】
長手方向の点光源間距離をｍ１、短手方向の点光源間距離をｍ２としたとき、ｍ１／ｍ２が０．５〜２である請求項１４に記載の直下型バックライト装置。
【請求項１７】
長手方向の点光源間距離をｎ１、短手方向の点光源間距離をｎ２としたとき、ｎ１／ｎ２が０．２６〜３．８７である、請求項１４に記載の直下型点光源バックライト装置。
【請求項１８】
前記ｎ１／ｎ２が０．４６〜０．８３又は１．２０〜２．１８である、請求項１７に記載の直下型点光源バックライト装置。
【請求項１９】
点光源が千鳥状に配置され、前記ｎ１／ｎ２が０．５１〜０．６６又は１．５２〜１．９６である、請求項１８に記載の直下型点光源バックライト装置。
【請求項２０】
さらに、
反射板と、
集光性を有する３枚以上の光学シートと、
を備えた請求項１４に記載の直下型点光源バックライト装置。
【発明の詳細な説明】
【技術分野】
【０００１】
本発明は、光拡散板、特に、点光源を配置したバックライトに対して用いるのに適した光拡散板、及びそれを備えるバックライト装置に関するものである。
【背景技術】
【０００２】
一般的に液晶ディスプレイ用のバックライトとしては、エッジライト型バックライトと直下型バックライトと呼ばれる２つの方式があるが、大型の表示装置に対しては、安価で高輝度を実現できる直下型バックライトが多く用いられている。直下型バックライトとしては、従来冷陰極管のような線状光源をベースに設計されており、拡散板や光学フィルムを用いて面発光させる方式がとられている。
ところが近年、環境問題や光源の寿命、発光効率、又画質向上の観点から、冷陰極管に替わって、ＬＥＤへの光源シフトが強く望まれている。冷陰極管は線光源であるのに対して、ＬＥＤは点光源であるため、拡散板や光学フィルムには点光源を面光源に変換する技術が求められている。一方、近年液晶ディスプレイは、省エネルギー（光源数削減）、薄型化が強く求められており、バックライトに対しては光源を減らし、且つ光源から拡散板まで短い距離で光を拡散させる技術が求められている。
【０００３】
従来、点光源用の光拡散技術としては、光源の中間点の直上に対応する拡散板上の位置における、バックライト出光面長手方向に対し垂直方向の光拡散板上の配光特性が特定の条件を満たすような拡散板に集光性を有する光学シートを備えた直下型バックライト装置が提案されている。又、拡散板の形状としては、輝度向上を目的として角錐状及び角錐台状の凸部又はこれと同形状の凹部を設けた形状が提案されている（例えば、特許文献１参照）。
この他に、垂直な複数の畝状凸部がバックライト出光面長手方向に配置された拡散板と、複数の畝状凸部がバックライト出光面長手方向に対して平行に配置された拡散板とを重ねて配置する点光源直下型バックライト装置が提案されている（例えば、特許文献２参照）。
更には、全光線透過率の高いレンズ付拡散板と、全光線透過率の低い拡散板を２枚重ねることにより、ＬＥＤ光源の輝度均一性を改善する方法が開示されている（例えば、特許文献３）。
【先行技術文献】
【特許文献】
【０００４】
【特許文献１】特開２００８−９１１１４号公報
【特許文献２】特開２００７−３３５１８２号公報
【特許文献３】特許２００７−３２９０１６号公報
【発明の概要】
【発明が解決しようとする課題】
【０００５】
しかしながら、光拡散板として特許文献１に記載の角錐状あるいは角錐台状の凸部又は凹部を有する光拡散板を用いても、輝度向上効果は十分でなく、組み合せて使用するバックライトには点光源が多数必要となる。更に、前記拡散板を用いると拡散板の上部に光学フィルムを配置させた際に、輸送時の振動によって、拡散板と光学フィルムが磨耗し、粉が多量発生する問題もあった。
【０００６】
また、本発明者等の検討によると、特許文献２、３の技術を用いた場合、所望のバックライト厚みで輝度均一性を保持するためには、点光源が多数必要となり、バックライトを安価に製造することは困難である。更には拡散板を２枚重ねるため、コストが高くなり、バックライトの厚みも厚くなる問題もあった。
【０００７】
このように、これまでの従来技術では、所望のバックライト厚みにおいて、優れた輝度と輝度均一性を発現するためには、点光源を多数配置させる必要があった。
本発明は前記課題を解決するものであり、その目的の第一は、所望のバックライト厚み、且つ従来技術では達成し得なかった少ない個数の点光源を配置したバックライトにおいて、優れた輝度及び輝度均一性の両立が可能となる拡散板、及び前記拡散板を用いたバックライト装置を提供することである。又、目的の第二は、該拡散板の上部に光学フィルムを配置し、バックライト装置として使用する際に、振動による擦れで粉が発生し難い拡散板を提供することである。
【課題を解決するための手段】
【０００８】
本発明者らは、前記課題を解決するため鋭意研究した結果、逆多角錐又は逆多角錐台形状の凹部を有する光拡散板において、凹部の内側面の開口側の一部を曲面にして、表面に角部を含まないようにすると、輝度ムラ低減効果に優れ、且つ輝度向上効果が著しく強化され、又、該拡散板の上部に配置する光学フィルムとの摩擦による粉発生量が大幅に減少することを見出し、本発明を完成するに至った。
更には、前記凹部形状に加え、前記光拡散板の反光源面側から入射した光の全光線透過率（Ａ）と、光源面側から入射した光全光線透過率（Ｂ）を特定の範囲に調整すると、輝度ムラ低減効果、輝度向上効果、特に輝度ムラ低減効果、が著しく優れることを見出し、本発明を完成するに至った。
【０００９】
すなわち、本発明は以下のとおりである。
表面に複数の凹部を有する光拡散板であって、
該凹部が、略逆多角錐又は略逆多角錐台形状であり、
該凹部の少なくとも１つの内側面は、開口縁部において、曲率中心が凹部の深さ方向側に位置する曲面となっている、点光源用光拡散板。
【発明の効果】
【００１０】
本発明の光拡散板を用いれば、バックライトとして点光源の数の少ないものを用いても、良好な輝度及び輝度均一性を達成することができる。
【図面の簡単な説明】
【００１１】
【図１】バックライトにおけるＬＥＤの配置の一例（格子状配置）を示す図
【図２】バックライトにおけるＬＥＤの配置の一例（千鳥状配置）を示す図
【図３】実施例１の光拡散板の反光源面側表面に賦形された凹部の３次元概略図（斜視図）
【図４】実施例１の光拡散板の反光源面側表面に賦形された凹部の３次元断面図（斜視図）
【図５】光拡散板反光源面側表面に賦形された凹部縦断面図（２次元断面図）
【図６】本発明の点光源バックライト装置の一例の縦断面図
【図７】実施例において用いたバックライトのＬＥＤの配置（ＬＥＤ配置方法１）を示す図（平面図）
【図８】実施例において用いたバックライトのＬＥＤの配置（ＬＥＤ配置方法３）を示す図（平面図）
【図９】ランバーシャン型ＬＥＤ出光分布図
【図１０】広角型ＬＥＤ出光分布図
【図１１】実施例１５の光拡散板の反光源面側表面に賦形された凹部の３次元概略図（斜視図）
【図１２】比較例４の光拡散板の反光源面側表面に賦形された凸部の３次元概略図（斜視図）
【図１３】ＬＥＤ配置方法（格子状配置）と輝度ムラ測定ライン
【図１４】ＬＥＤ配置方法（千鳥状配置）と輝度ムラ測定ライン
【図１５】比較例１４の光拡散板の反光源面側表面に賦形された凹部の３次元概略図（斜視図）
【発明を実施するための形態】
【００１２】
本発明について、以下具体的に説明する。
まず、本発明の光拡散板と組み合せて使用できるバックライトについて説明する。
本発明の光拡散板は、いかなるバックライトに対しても好適に使用できる。特に、本発明の光拡散板と組み合わせれば、少ない個数の点光源を配置した光源であっても良好な輝度を達成することができるので、このようなバックライトと組み合せると、本発明の光拡散板の特徴が生かされる。
少ない個数の点光源を配置したバックライトとしては、例えば、点光源最上部と拡散板の平均距離をＸ、隣り合う点光源の平均距離をＹとした場合、Ｙ／Ｘ≧１．５を満たすバックライトが挙げられる。ここで、点光源最上部と拡散板の平均距離Ｘとは、バックライトに装着されたすべての点光源最上部と拡散板までの距離（単位はｍｍ）を測定し、その平均値をとったものである。又、隣り合う点光源の平均距離Ｙとは、バックライト平面の面積（単位はｍｍ2）を点光源の数で割った値の平方根値を指す。
従来の光拡散板を用いる場合は、輝度均一性を保持するためには、バックライトのＸ，Ｙは、Ｙ／Ｘ≦１となるよう設計する必要があり、Ｙ／Ｘ≧１．５での設計が可能になると、同じ厚みのバックライトで点光源の数は１／２以下となり、経済効果は著しく大きい。
【００１３】
次に、本発明の光拡散板について説明する。本発明の光拡散板は、表面に、略逆多角錐又は略逆多角錐台形状の凹部を複数個有し、該凹部の少なくとも１つの内側面は、凹部の開口縁部において、曲率中心が凹部の深さ方向側に位置する曲面となっている。
すなわち、本発明の光拡散板における凹部は、その開口付近が曲面であるという点で、逆多角錐又は逆多角錐台形状そのものではなく、略逆多角錐又は略逆多角錐台形状となっている。
ここで、開口縁部とは、凹部の内側面の、凹部の開口の縁から深さ方向に広がる部分をいう。
【００１４】
曲率中心が凹部の深さ方向側に位置する曲面を含む内側面は、平面部と曲面部から構成されるが、直線部の割合（Ｃ）が３０％〜９５％であり、且つ曲線部の割合（Ｄ）が５〜７０％であることが、輝度向上、輝度均一性、及び光学フィルムとの擦れによる粉発生の観点から好ましく、（Ｃ）が５０〜９２％、且つ（Ｄ）が８〜５０％であることがより好ましく、（Ｃ）が６０〜８５％であり、且つ（Ｄ）が１５〜４０％であることが最も好ましい。
特に、（Ｃ）が８５％である前後で輝度が大きく変化するので、輝度向上の観点からは３０〜８５％が好ましく、５０〜８５％がより好ましく、６０〜８５％がさらに好ましい。
ここで、直接部の割合（Ｃ）、曲線部の割合（Ｄ）は以下に示すとおりである。
（Ｃ）＝ａ１／ａ２×１００（％）
（Ｄ）＝（ａ２−ａ１）／ａ２×１００（％）
前記ａ１は光拡散板を、光拡散板の水平面に対して垂直な面(縦断面)で、逆多角錐形状凹部の頂点又は逆多角錐台形状凹部の底面を通り、かつ、前記開口縁部において曲率中心が凹部の深さ方向側に位置する曲面となっている内側面を垂直に横切るように切断したときに現れる断面において、直線部を水平線方向に投影したときの投影線の長さであり、ａ２は前記断面において、内側面に該当する部分を水平線方向に投影したときの投影線の長さを示す（図５参照）。
【００１５】
前記断面において、直線部と拡散板の表面に対して水平な水平線の成す交差角（Ｅ）は、輝度均一性の観点から３８〜５５度であることが好ましい。特に、４８〜５２度の範囲において輝度ムラが顕著に低下する。
又、輝度均一性の観点から、交差角（Ｅ）が３８〜５５度の範囲で異なる複数の直線部を有するような内側面形状を有する凹部も好ましく用いられる。
ここで、交差角（Ｅ）は、図５に示すように、光拡散板を、光拡散板の水平面に対して垂直な面（縦断面）で逆多角錐形状凹部の頂点又は逆多角錐台形状凹部の底面を通り、かつ、前記開口縁部において曲率中心が凹部の深さ方向側に位置する曲面となっている内側面を垂直に横切るように切断して断面形状を観察し、断面形状中の直線部（内側面平面部）と光拡散板の表面に水平な線とが成す角を求め、これを交差角（Ｅ）とした（図５参照）。
【００１６】
略逆多角錐又は略逆多角錐台形状の凹部は、光拡散板の２つの表面のうち、光源と組み合わせて使用した場合に、光源から遠い方（光源の反対側）に位置することになる面のみに形成されることが好ましい。
なお、以下、本明細書中においては、光源と組み合わせて使用した場合において、光源に近い面を光源面、光源から遠い面（光源の反対側）を反光源面と定義する。
【００１７】
略逆多角錐又は略逆多角錐台形状の凹部は、光拡散板の表面に複数個設けられる。複数個の凹部の形状は同一であっても異なっていてもよく、配置の態様についても限定はないが、同一形状の凹部を周期的に配置することは、輝度均一性及び光拡散板の生産性の観点から好ましく用いられる。
同一形状の凹部を周期的に配置する場合、その配列ピッチ（最近接の同一形状の凹部間距離、例えば、凹部の最下部間の距離、或は最上部間の距離）は、輝度均一性の観点から光拡散板長手方向及び短手方向共に１０〜１０００μｍであることが好ましく、１００〜５００μｍであることがより好ましい。
さらに、凹部が略逆四角錐又は略逆四角錐台である場合、凹部の開口の１辺の長さと配列ピッチとを等しくして（すなわち、凹部を連続して設けて）もよい。
【００１８】
凹部の形状は、略逆多角錐又は略逆多角錐台であればよく、何角錐であっても構わないが、製造が容易で、複数個を繰り返し規則的に配置することが容易であるという点から、略逆三角錐、略逆三角錐台、或は略逆四角錐、略逆四角錐台が好ましく用いられる。また、輝度均一性の観点から、略逆多角錐又は略逆多角錐台は、略逆正多角錐又は略逆正多角錐台であることが好ましい。
輝度均一性を高めるために、逆多角錐又は逆多角錐台形状の凹部は、画面の縦方向或は横方向、すなわち光拡散板の短手方向或は長手方向、に対して対称な内側面を少なくとも該光拡散板の反光源面内に一組有することが好ましく、二組以上有することが更に好ましい。
【００１９】
凹部の深さは光拡散板の厚みより小さければ、特に限定はなく、例えば、５μｍ〜１０００μｍ程度である。凹部の開口部の１辺の長さにも限定はなく、例えば、１０μｍ〜１０００μｍ程度である。
【００２０】
本発明の光拡散板の好ましい実施態様の一例としては、略正四角錐形状を有する同一形状の凹部を、凹部の開口の１辺の長さと配列ピッチとが等しくなるように、周期的に格子状に形成したものが挙げられる。
【００２１】
本発明の光拡散板の厚みは、剛性、光学特性（輝度、輝度均一性）、及びバックライト厚みの観点から５００〜３０００μｍであることが好ましく、７５０〜２５００μｍであることが好ましく、１０００〜２０００μｍであることが最も好ましい。
【００２２】
本発明の光拡散板は、バックライトの輝度均一性の観点から、反光源面側又は凹部が形成された面側から入射した光のＪＩＳ  Ｋ−７３６１に準拠して測定した全光線透過率（Ａ）が６５〜１００％であることが好ましく、７０〜９５％であることがより好ましい。全光線透過率（Ａ）が６５％未満の場合、光源と光源の間が暗くなり、輝度均一性が低下することがある。
【００２３】
更に、本発明の光拡散板は、輝度及び輝度均一性の観点から、光源面側又は凹部が形成された面とは反対側の面から入射した光のＪＩＳ  Ｋ−７３６１に準拠して測定した全光線透過率（Ｂ）が３０〜８０％であることが好ましく、４０〜７０％であることがより好ましく、４５〜６５％であることが最も好ましい。全光線透過率（Ｂ）が３０％未満の場合は、輝度が低下する傾向にあり、８０％より高い場合は光源と光源の間が暗くなり、輝度均一性が低下する傾向がある。
【００２４】
本発明の光拡散板においては、全光線透過率（Ａ）と全光線透過率（Ｂ）を前記特定範囲に制御することが、輝度向上、輝度均一性の観点から好ましい。
【００２５】
本発明の光拡散板を構成する材料に限定はなく、例えば、光透過性の高い樹脂を用いることができる。具体例としては、ポリエチレンテレフタレート、ポリトリメチレンテレフタレート、ポリブチレンテレフタレート、ポリエチレンナフタレート、等のポリエステル樹脂、及びこれ等の共重合体；ポリプロピレン、ポリメチルペンテン、脂環式ポリオレフィン等のポリオレフィン樹脂；ポリスチレン、スチレンーアクリロニトリル共重合体、スチレン−メタクリル酸共重合体、メチルメタクリレート−スチレン共重合体、アルファメチルスチレン共重合体等のスチレン系樹脂；ポリメチルメタクリレート、ポリエチルアクリレート等のアクリル系樹脂；メタクリル酸エステル樹脂、ポリカーボネート樹脂等を挙げることが出来る。
【００２６】
中でも、バックライトの輝度均一性の観点から、屈折率が１．５５〜１．６５である光透過性の高い樹脂が好ましく、更に耐熱性、光透過性の観点から、ポリスチレン樹脂、スチレン−メタクリル酸共重合体、メチルメタクリレート−スチレン共重合体、及びポリカーボネート樹脂が最も好ましく用いられる。
【００２７】
前記全光線透過率（Ａ）を前記範囲に調整する手段としては、拡散板反光源面形状の最適化、拡散板光源面形状の最適化、拡散板を構成する材料への光拡散成分の添加、及び拡散板の層構成の最適化等が挙げられる。
【００２８】
光拡散板を構成する材料へ光拡散成分を添加する場合、光拡散板を構成する材料のうちの主成分（最も含有量（重量％）の多い成分）の屈性率と異なる屈性率を持った光拡散剤成分を最適粒径で最適量分散させることが好ましい。
光拡散剤としては、例えば、アクリル系架橋微粒子、スチレン系架橋微粒子、シリコーン系架橋微粒子、フッ素系微粒子、ガラス微粒子、シリカ微粒子、炭酸カルシウム、硫酸バリウム、酸化チタン、アルミナ、タルク、マイカ等が挙げられ、これらは単独もしくは併用して使用することができる。光拡散剤の添加量としては、光拡散板を構成する材料（例えば、樹脂組成物）全体に対して、０．００１〜３０重量％であることが好ましく、０．０１〜１０重量％であることがより好ましく、０．０２〜１重量％であることが最も好ましい。
【００２９】
光拡散剤の粒径は、平均粒径０．０１μｍ〜１００μｍの範囲であることが好ましく、０．１μｍ〜３０μｍであることが最も好ましい。ここで、平均粒径とは、電子顕微鏡観察により、３０００倍の画像で観察される光拡散剤の粒径を全量計測したときの、その平均値をいう。また、粒径とは、二軸平均径、すなわち、短径と長径の平均値をいう。ここで、短径、長径とは、それぞれ、粒子に外接する面積が最小となる外接長方形の短辺、長辺である。
また、光拡散剤の形状としては、真球状、楕円状、不定形状、針状、板状、中空状、柱状、錐状等の形状が挙げられる。
【００３０】
一方、前記全光線透過率（Ｂ）を前記範囲に調整するためには、拡散板の反光源面側の賦形形状及び光拡散剤の最適化が重要な因子となる。
【００３１】
本発明の光拡散板には、各種添加剤を配合してもよい。このような添加剤としては、例えば、有機や無機の染料や顔料、艶消し剤、熱安定剤、難燃剤、帯電防止剤、消泡剤、整色剤、酸化防止剤、紫外線吸収剤、結晶核剤、増白剤、不純物の捕捉剤、増粘剤、表面調整材等が挙げられる。
【００３２】
本発明の光拡散板は必要に応じて単層構造、或は積層構造とすることができる。積層構造の場合、その積層構成は用途、目的に応じて適切に選択することが望ましい。
層構成の例としては、光透過性の高い樹脂を含む樹脂組成物からなる基材層をＡ、その他の樹脂組成物からなる層をＢ、Ｃ、Ｄ、Ｅとすると、ＡＢの２層、ＡＢＡやＢＡＢ、ＡＢＣの３層、ＡＢＡＢ、ＡＢＡＣ、ＡＢＣＡ、ＡＢＣＢ、ＡＢＣＤ、ＢＡＣＤ等の４層、ＡＢＣＢＡ、ＡＢＣＤＥ等の５層などが挙げられる。
なお、同じ樹脂組成物から構成される層を連続して複数積層することもでき、この場合は連続して積層された複数の層を１層と数える。
また、５層以上積層してもよいが、製造の容易さより考えると５層以下であることが好ましい。
積層構造を採用する場合の具体的な例としては、光拡散板に、衝撃特性を付与する目的で、基材層Ａの外側、特に逆多角錐形状もしくは逆多角錐台形状を形成する面側に衝撃性の高い樹脂層を形成する場合や、耐紫外線特性や帯電防止性能を付与する目的で、基材層Ａの外側に耐紫外線吸収剤や帯電防止材を含有した樹脂層を形成する場合等が挙げられる。
【００３３】
本発明の光拡散板は、輝度均一性及び、バックライトに装着された指示ピンとの擦れ性の観点から、略逆多角錐又は略逆多角錐台形状の凹部が形成された面とは反対側の面、すなわち、光源と組み合せて使用された場合の好ましい態様において光源面（光源側の面）となる面、に凹凸形状をもうけることが好ましい。
具体的には、ＪＩＳ  Ｂ０６０１に準拠して測定した前記凹凸形状の算術平均粗さが１〜１５０μｍであることが好ましく、５〜１００μｍであることがより好ましい。
【００３４】
本発明の光拡散板の製造方法としては、光拡散板を構成する材料、例えば、光透過性の高い樹脂を含んだ樹脂組成物を、溶融状態にて口金より押出して、所望の形状に加工したロールを用いて成形する溶融成形法；樹脂組成物を溶媒に溶解した状態にて口金より押出して、所望の形状に加工したロールを用いて成形する溶液キャスト法；溶融成形法；溶液キャスト法にて表面賦形し得た１種類以上の樹脂組成物よりなる固体フィルムに、溶融樹脂を積層する押出ラミネーション法や固体フィルムどうしを積層するドライラミネーション法；溶融状態にて口金より押出した板と所望の形状に加工したプレス金型を用いて熱プレス成形する方法；更には所望の形状に加工した金型を用いて射出成形する方法などが挙げられる。これらのうち、生産性、環境適性の観点から、溶融成形法が最も好ましい成形法である。
【００３５】
本発明のバックライト装置の一態様においては、点光源を配置した光源部と、反射板、本発明の光拡散板、及び集光性を有する光学シートを備える。
【００３６】
上記集光性を有する光学シートとは、シートに入射した光を、シート直上方向に立ち上げる機能を有するシートをいい、５５０ｎｍの単色光を入射角６０度でシートに入射した際に変角光度計（例えば、日本電色工業者製ＧＣ５０００Ｌ）で測定される出光分布のメインピーク角が５０度以下となるシートが好ましい。より好ましくは、メインピーク角が３５度〜４５度であるシートである。
具体例としては、市販のプリズムシート、拡散シート、及びレンズシート等が挙げられる。
【００３７】
集光性を有する光学シートは、３枚以上用いることが好ましい。
中でも、光拡散板の反光源面側に、５５０ｎｍ単色光を入射角６０度で入射した際に変角光度計で測定される出光分布のメインピーク角が３５度〜４５度である光学シートを２枚配置し、更にその上にプリズムシートを配置する配設パターン、或は、光拡散板の反光源側に、５５０ｎｍの単色光を入射角６０度で入射した際に変角光度計で測定される出光分布のメインピーク角が３５度〜４５度である光学シートを１枚配置し、更にその上にプリズムシートを配置し、更にその上に１枚の５５０ｎｍの単色光を入射角６０度で入射した際に変角光度計で測定される出光分布のメインピーク角が３５度〜４５度である光学シートを配置する配設パターン、もしくは、光拡散板の反光源面側に５５０ｎｍの単色光を入射角６０度で入射した際に変角光度計で測定される出光分布のメインピーク角が３５度〜４５度である光学シートを３枚配置する配置する配設パターンが最も好ましく用いられる。
【００３８】
光源部、反射板及び光拡散板は、反射板、光源部、光拡散板の順で積層されることが好ましく、光拡散板は、略逆多角錐又は略逆多角錐台状の凹部が形成された面が反光源面となるように積層することが好ましい。
【００３９】
バックライトに装着する点光源としては、特に制限はないが、ＬＥＤ光源が好ましく用いられる。ＬＥＤ光源の種類としては、青色ＬＥＤにより黄色蛍光体を励起するタイプや、青色ＬＥＤにより緑色、赤色蛍光体を励起するワンチップタイプの擬似白色ＬＥＤ、赤色／緑色／青色ＬＥＤを組み合わせて白色光を作るマルチチップタイプ、更には近紫外ＬＥＤと赤色／緑色／青色蛍光体を組み合わせたワンチップタイプの擬似白色ＬＥＤ等が挙げられる。
【００４０】
点光源の出光分布としては、輝度と輝度均一性を両立させるために、広角に出光するタイプの光源が好ましく用いられる。具体的には、光のピーク角度が０度、且つ半値角が６０°のランバーシャンタイプの出光分布を有するＬＥＤ光源や、光のピーク角度が０度よりも広がった出光分布を有するＬＥＤ光源が好ましく用いられる。中でも特に、光のピーク角度が２０°〜８０°である広角ＬＥＤ光源がＬＥＤ光源数を削減する観点で更に好ましく用いられる。
【００４１】
バックライトに配置する点光源は、各点光源間距離を出来るだけ均一に配置することが好ましい。具体的には、点光源を画面縦方向と横方向にそれぞれ等間隔に格子状に配置する配列方法（図１参照）や、点光源を画面縦方向と横方向にそれぞれ等間隔に千鳥（格子）状（三角格子状）に配置する配列方法等（図２参照）が好ましく用いられる。ここで、千鳥（格子）状（三角格子状）とは、隣り合う二等辺三角形の辺と頂点が一致するように二等辺三角形で平面を埋め尽くした時の二等辺三角形の各頂点の配置をいう。
格子状に配置する場合は、ｍ１／ｍ２が０．５〜２の範囲であることが好ましく、０．８〜１．２の範囲であることがより好ましく、０．９〜１．１であることが最も好ましい。      又、千鳥状に配置する場合は、ｎ１／ｎ２が０．２６〜３．８７であることが好ましく、０．３５〜２．８２であることがより好ましく、０．４６〜０．８３、或は１．２０〜２．１８であることが更に好ましく、０．５１〜０．６６、或は１．５２〜１．９６であることが最も好ましい。
ここで、ｍ１、ｍ２は、それぞれ、格子状に配置された点光源のバックライト横方向（長手方向）、縦方向（短手方向）の中心間距離（ｍｍ）であり、ｎ１、ｎ２は、それぞれ、千鳥状に配置された点光源のバックライト横方向、縦方向の中心間距離（ｍｍ）である。
尚、点光源を格子状、千鳥状の配列方法に配置した場合に、表面に形成された逆多角錐又は逆多角錐台形状の凹部が、光拡散板の水平面の縦方向或は横方向に対して対称な内側面を一組以上有する光拡散板と組み合わせると、特にバックライトの輝度均一性に優れる。
更に、本発明の光拡散板においては、その理由は明らかではないが、格子状に配置した点光源よりも千鳥状に配置した点光源と組み合わせる方が、輝度ムラ効果が顕著に奏される。そのため、点光源の個数を大幅に（例えば、４２インチのディスプレイ用のバックライト（５２３ｍｍ×９３０ｍｍ）にＬＥＤを配置させた場合に必要となるＬＥＤ個数を４２１個以下に）削減することができる。
【００４２】
本発明の光拡散板は、略逆多角錐又は略逆多角錐台形状の凹部の内側面の形状や、光線透過率（Ａ）及び（Ｂ）を適宜調整することにより、点光源直下型バックライト用の光拡散板として用いた場合に輝度向上、輝度ムラの解消に効果を発現する。そのため、本発明の光拡散板を用いれば、直下型バックライトにおいて、従来技術よりも点光源個数を大幅に削減することが可能となり、経済的効果も大きい。
【実施例】
【００４３】
以下に、具体的な実施例及び比較例に基づいて説明する。
尚、以下の実施例中の主な測定値は以下の方法で測定した。
１．光拡散板反光源面の凹部の形状
１−１  凹部の形状
光拡散板の反光源面側をキーエンス製のレーザー顕微鏡ＧｅｎｅｒａｔｉｏｎＩＩ  ＶＫ−９７００で観察し、凹部の形状を確認した。
【００４４】
１−２  直線の割合（Ｃ）
１−１と同様にして、拡散板の反光源面側をレーザー顕微鏡で断面観察し、以下の式に従って凹部の直線部の割合（Ｃ）を求めた。
（Ｃ）＝ａ１／ａ２×１００（％）
なお、凸部についても同様の方法で求めた。
【００４５】
１−３  曲線部の割合（Ｄ）
１−１と同様にして、拡散板の反光源面側をレーザー顕微鏡で断面観察し、以下の式に従って凹部の曲線部の割合（Ｄ）を求めた。
（Ｄ）＝（ａ２−ａ１）／ａ２×１００（％）
１−４  凹部の内側面の平面部と光拡散板の水平面との交差角（Ｅ）
１−２と同様にして、光拡散板の反光源面側の断面観察を行い、交差角（Ｅ）を測定した。
１−５  稜線方向の回転角（Ｆ）
光拡散板の凹部が形成された面を光学顕微鏡で観察した際に、連なる凹形状の稜線が画面横方向に対して、何度傾いているかを求め、これを稜線方向の回転角（Ｆ）とした。前記稜線方向が右肩上がりの場合は＋方向、右肩下がりの場合は−方向の傾きとした。
例えば、凹部が略逆四角錐又は略逆四角錐台形状である場合、回転角（Ｆ）が０度、９０度又は±４５度であると、画面縦方向或は横方向に対して対称な内側面を二組有していることとなる。一方、回転角（Ｆ）が、３０度又は６０度であるような場合には、画面縦方向或は横方向に対して対称な内側面は一組も有さないことになる。
【００４６】
２．全光線透過率
２−１  全光線透過率（Ａ）
日本電色工業株式会社製の濁度計ＮＤＨ２０００を用いて、光拡散板の反光源面側から光を入射させ、ＪＩＳ  Ｋ７１３６に準拠した全光線透過率を測定し、全光線透過率（Ａ）を求めた。
２−２  全光線透過率（Ｂ）
日本電色工業株式会社製の濁度計ＮＤＨ２０００を用いて、光拡散板の光源面側から光を入射させ、ＪＩＳ  Ｋ７１３６に準拠した全光線透過率を測定し、全光線透過率（Ｂ）を求めた。
【００４７】
３．平均ＬＥＤ間隔Ｙ
ＬＥＤ光源バックライトのモニター面積を、実装したＬＥＤの数で割り、その値の平方根を平均ＬＥＤ間隔Ｙとした。
４．ＬＥＤ最上部と光拡散板の平均距離Ｘ
ＬＥＤ光源バックライトの実装したＬＥＤの最上部と光拡散板１までの距離ｈ１（図６参照）を実装したＬＥＤ２すべてにおいて計測し、その平均値をＬＥＤ最上部と光拡散板の平均距離Ｘとした。
５．平均輝度
ＬＥＤ光源バックライトに光拡散板及び所定の光学フィルムを配置し、ＬＥＤを点灯させて、サイバーネット社のＰｒｏｍｅｔｒｉｃを用いて輝度を測定した。
本実施例、比較例で使用したＬＥＤ光源バックライトの画面部寸法は３２０ｍｍ×３２０ｍｍであるが、輝度測定部位としてはその中心部２００ｍｍ×２００ｍｍ部分について、縦横３００×３００解像度で輝度を測定した。このようにして測定した輝度の平均値を平均輝度とした。
【００４８】
６．輝度ムラ
５．で測定した上記２００ｍｍ×２００ｍｍ部分の輝度データを用いて、輝度ムラを計算した。具体的には、図１３、１４に記載の通り、ＬＥＤバックライトのＬＥＤ直上を通るモニター縦のライン上ｅ１、ｅ２，ｅ３（モニター中心に最も近い３本のライン上）、及びモニター横のライン上ｆ１、ｆ２、ｆ３（モニター中心に最も近い３本のライン上）の輝度データに関して、各ライン別に輝度比（輝度／輝度の移動平均値）の標準偏差を求め、求めた標準偏差値の平均値を輝度ムラとした。
ここで、移動平均値とは、特定区間の平均値のことであり、具体的には、隣り合うＬＥＤを結ぶライン上での平均輝度を指す。例えば、前記ＬＥＤ直上を通るｅ１上の輝度のデータをＡ，Ｂ，Ｃ，Ｄ，Ｅ，Ｆ，Ｇ，Ｈ，Ｉ、Ｊ、Ｋ、Ｌ、Ｍ、Ｎとした場合、ＬＥＤ直上の輝度データが、Ａ，Ｅ，Ｉ，Ｎであったとする。この場合、Ｃ点での移動平均値はＡ〜Ｅ（隣り合うＬＥＤが存在する間隔）の輝度平均値Ｃａｖとなり、Ｄ点で移動平均値はＢ〜Ｆの平均値Ｄａｖとなる。前記要領で各点での移動平均を求める。次に、各点での輝度比（輝度／輝度の移動平均値）、例えばＣ／Ｃａｖ、Ｂ／Ｂａｖ、・・・を求め、更に前記輝度比の標準偏差を求める。このようにして求めた標準偏差はｅ１上輝度データに関する輝度比の標準偏差となる。以上の要領でその他のｅ２、ｅ３、ｆ１、ｆ２、ｆ３でも同様に標準偏差を求め、最後に前記求めた標準偏差の平均値を計算し、輝度ムラ値とした。＜輝度ムラ評価＞
◎  ：  輝度ムラ値  ≦  ０．００３５
→  目視で輝度ムラが全く見えないレベル
○  ：  ０．００３６  ≦  輝度ムラ値  ≦  ０．００４９
→  目視で僅かに輝度ムラが見えるレベル
△  ：  ０．００５０  ≦  輝度ムラ値  ≦  ０．０１００
→  目視で輝度ムラが見えるレベル
×  ：  ０．０１００  ≦  輝度ムラ値
→  目視ではっきり輝度ムラが見えるレベル
【００４９】
７．４２"換算ＬＥＤ個数
平均ＬＥＤ間隔Ｘで、４２インチのバックライトにＬＥＤを配置させた場合の、必要なＬＥＤ個数を４２"換算ＬＥＤ個数とした。具体的には、４２インチのバックライト面積５２３ｍｍ×９３０ｍｍを平均ＬＥＤ間隔Ｘ（ｍｍ）の２乗で割った値を４２"換算ＬＥＤ個数とした。
【００５０】
８．振動試験
ＬＥＤバックライトに拡散板と光学フィルムを配設した状態で、５００往復／分、±１００ｍｍ／往復の条件で振動テストを行い、拡散板と光学フィルムの間で、粉の発生具合を観察した。目視で粉が見えないものは○、粉が見えるものは×、粉が多量見えるものは××とした。
【００５１】
次に、本実施例、比較例における光拡散板を製造する際に用いる熱プレス原版の製造方法について説明する。
１．プレス原板１
ポリスチレン樹脂（ＰＳジャパン社製、Ｇ９５０４）９９．９７重量部と、平均粒径１０μｍのタルク０．０３重量部をヘンシェルミキサーで混合し、二軸押出機（東芝機械社製ＴＥＭ−５８）で、樹脂温度２５０℃の条件で溶融混練し、ペレタイズした。前記ペレットをＴＥＸ−９０単軸押出機で再度溶融混練し、１０００ｍｍ幅Ｔダイより押出し、１．６ｍｍ厚シートを作成した。
２．プレス原板２
ポリスチレン樹脂（ＰＳジャパン社製、Ｇ９５０４）９９．８７重量部と、平均粒径１０μｍのタルク０．０３重量部と、平均粒径３．５μｍのシリコーンパウダー（屈折率＝
１．４３）０．１０重量部をヘンシェルミキサーで混合し、二軸押出機（東芝機械社製ＴＥＭ−５８）で、樹脂温度２５０℃の条件で溶融混練し、ペレタイズした。前記ペレットをＴＥＸ−９０単軸押出機で再度溶融混練し、１０００ｍｍ幅Ｔダイより押出し、１．６ｍｍ厚シートを作成した。
３．プレス原板３
ポリスチレン樹脂、タルク、及びシリコーンパウダーの混合比を、それぞれ、９９．７７重量部、０．０３重量部、０．２０重量部とした以外は、プレス原板２と同様の方法でプレス原板３を作成した。
４．プレス原板４
ポリスチレン樹脂、タルク、及びシリコーンパウダーの混合比を、それぞれ、９９．６２重量部、０．０３重量部、０．３５重量部とした以外は、プレス原板２と同様の方法でプレス原板４を作成した。
５．プレス原板５
ポリスチレン樹脂、タルク、及びシリコーンパウダーの混合比を、それぞれ、９９．４７重量部、０．０３重量部、０．５０重量部とした以外は、プレス原板２と同様の方法でプレス原板５を作成した。
６．プレス原板６
ポリスチレン樹脂、タルク、及びシリコーンパウダーの混合比を、それぞれ、９９．２７重量部、０．０３重量部、０．７０重量部とした以外は、プレス原板２と同様の方法でプレス原板６を作成した。
【００５２】
次に、本実施例、比較例において光拡散板と組み合せて使用するＬＥＤ光源バックライトの光源部におけるＬＥＤの配置方法について説明する。
１．ＬＥＤ配置方法１
Ｃｒｅｅ社製の出光分布がランバーシャンタイプ（図９参照）の白色ＬＥＤ（ＬＭ６−ＥＷＮ１−０３−Ｎ３）を図１、図７に示すように、ＬＥＤ間隔ｍ１、ｍ２共に３０．０ｍｍの格子状配置で１００個実装し（ｍ１／ｍ２＝１（図１参照））、画面サイズ３２０×３２０ｍｍのＬＥＤ光源バックライト評価装置を作成した。
実装したＬＥＤ基盤（ＰＣＢ４）の上には、反射フィルムとしてルミラーＥ６ＳＶ（東レ社製）を両面テープで貼り付けた。ＬＥＤ最上部から光拡散板までの距離ｈ１を１８ｍｍになるよう固定し、反射板３から最上部までの距離"ｈ２−ｈ１"を１．８ｍｍで一定の距離に保った（図６参照）。バックライトは、１個のＬＥＤ間に１５Ｖの電圧をかけ、２０ｍＡの電流を流して、点灯させた。輝度、及び輝度ムラの測定は、ＬＥＤ点灯後、バックライトを１時間エージングした後に行った。
２．ＬＥＤ配置方法２
白色ＬＥＤを、図１に示すように、ＬＥＤ間隔ｍ１、ｍ２共に３２ｍｍ（ｍ１／ｍ２＝１）に変更した以外は、ＬＥＤ配置方法１と同様にして、バックライト評価装置を作成した。
３．ＬＥＤ配置方法３
Ｃｒｅｅ社製の白色ＬＥＤ（ＬＭ６−ＥＷＮ１−０３−Ｎ３）を図２及び図８に示すように、ＬＥＤ間隔をｎ２：５５．８ｍｍ、ｎ１：３２．２ｍｍの千鳥状配置（ｎ１／ｎ２＝０．５８（図２参照））で１０４個実装した以外はＬＥＤ配置方法１と同様にして、バックライト評価装置を作成した。
４．ＬＥＤ配置方法４
白色ＬＥＤを、図２に示すように、ＬＥＤ間隔として縦方向６３．３ｍｍ、横方向３６．５ｍｍ（ｎ１／ｎ２＝０．５８）で８５個実装した以外はＬＥＤ配置方法３と同様にして、バックライト評価装置を作成した。
５．ＬＥＤ配置方法５
白色ＬＥＤを、図２に示すように、ＬＥＤ間隔として縦方向６７．０ｍｍ、横方向３８．７ｍｍ（ｎ１／ｎ２＝０．５８）で７７個実装した以外はＬＥＤ配置方法３と同様にして、バックライト評価装置を作成した。
６．ＬＥＤ配置方法６
白色ＬＥＤを、図２に示すように、ＬＥＤ間隔として縦方向３６．５ｍｍ、横方向６３．３ｍｍ（ｎ１／ｎ２＝１．７３）で８５個実装した以外はＬＥＤ配置方法３と同様にして、バックライト評価装置を作成した。
７．ＬＥＤ配置方法７
白色ＬＥＤを、図２に示すように、ＬＥＤ間隔として縦方向３８．７ｍｍ、横方向６７．０ｍｍ（ｎ１／ｎ２＝１．７３）で７７個実装した以外はＬＥＤ配置方法３と同様にして、バックライト評価装置を作成した。
８．ＬＥＤ配置方法８
白色ＬＥＤを、図２に示すように、ＬＥＤ間隔として縦方向６０ｍｍ、横方向３０ｍｍ（ｎ１／ｎ２＝０．５０）で１０５個実装した以外はＬＥＤ配置方法３と同様にして、バックライト評価装置を作成した。
９．ＬＥＤ配置方法９
白色ＬＥＤを、図２に示すように、ＬＥＤ間隔として縦方向６４ｍｍ、横方向３２ｍｍ（ｎ１／ｎ２＝０．５０）で９５個実装した以外はＬＥＤ配置方法３と同様にして、バックライト評価装置を作成した。
１０．ＬＥＤ配置方法１０
白色ＬＥＤを、図２に示すように、ＬＥＤ間隔を縦方向４６．５ｍｍ、横方向３８．７ｍｍ（ｎ１／ｎ２＝０．８３）で１０５個実装した以外はＬＥＤ配置方法３と同様にして、バックライト評価装置を作成した。
１１．ＬＥＤ配置方法１１
白色ＬＥＤを、図２に示すように、ＬＥＤ間隔として縦方向４９．６ｍｍ、横方向４１．３ｍｍ（ｎ１／ｎ２＝０．８３）で９８個配置した以外はＬＥＤ配置方法３と同様にして、バックライト評価装置を作成した。
１２．ＬＥＤ配置方法１２
白色ＬＥＤを、図１に示すように、縦横にＬＥＤ間隔を２５．０ｍｍ（ｍ１／ｍ２＝１）で１６９個配置した以外は、ＬＥＤ配置方法１と同様にして、バックライト評価装置を作成した。
１３．ＬＥＤ配置方法１３
白色ＬＥＤを、図１に示すように、縦横にＬＥＤ間隔を２０．０ｍｍ（ｍ１／ｍ２＝１）で２５６個配置した以外は、ＬＥＤ配置方法１と同様にして、バックライト評価装置を作成した。
１４．ＬＥＤ配置方法１４
白色ＬＥＤを、図１に示すように、縦横にＬＥＤ間隔を１８．０ｍｍ（ｍ１／ｍ２＝１）で３２４個配置した以外は、ＬＥＤ配置方法１と同様にして、バックライト評価装置を作成した。
１５．ＬＥＤ配置方法１５
白色ＬＥＤを、図１に示すように、縦横にＬＥＤ間隔を２３．０ｍｍ（ｍ１／ｍ２＝１）で１９６個配置した以外は、ＬＥＤ配置方法１と同様にして、バックライト評価装置を作成した。
１６．ＬＥＤ配置方法１６
フィリップス・ルミレッズ社製の出光分布がピーク角度４０度（図１０参照）の白色ＬＥＤ（ＬＸＨＬ−ＢＷ０２）を図２に示すように、ＬＥＤ間隔がｎ２：８３．８ｍｍ、ｎ１：４８．３ｍｍの千鳥状配置（ｎ１／ｎ２＝０．５８（図２参照））で５６個実装した以外は、ＬＥＤ配置方法３と同様にして、バックライト評価装置を作成した。
１７．ＬＥＤ配置方法１７
白色ＬＥＤを、図２に示すように、ＬＥＤ間隔として縦方向４６．０ｍｍ、横方向３９．１ｍｍ（ｎ１／ｎ２＝０．８５）で１１１個実装した以外は、ＬＥＤ配置方法３と同様にして、バックライト評価装置を作成した。
１８．ＬＥＤ配置方法１８
白色ＬＥＤを、図２に示すように、ＬＥＤ間隔として縦方向５３．０ｍｍ、横方向３８．７ｍｍ（ｎ１／ｎ２＝０．７３）で９４個実装した以外は、ＬＥＤ配置方法３と同様にして、バックライト評価装置を作成した。
１９．ＬＥＤ配置方法１９
白色ＬＥＤを、図２に示すように、ＬＥＤ間隔として縦方向５６．３ｍｍ、横方向４１．１ｍｍ（ｎ１／ｎ２＝０．７３）で８８個実装した以外は、ＬＥＤ配置方法３と同様にして、バックライト評価装置を作成した。
２０．ＬＥＤ配置方法２０
白色ＬＥＤを、図２に示すように、ＬＥＤ間隔として縦方向５９．６ｍｍ、横方向３８．８ｍｍ（ｎ１／ｎ２＝０．６５）で８３個実装した以外は、ＬＥＤ配置方法３と同様にして、バックライト評価装置を作成した。
２１．ＬＥＤ配置方法２１
白色ＬＥＤを、図２に示すように、ＬＥＤ間隔として縦方向６６．７ｍｍ、横方向３４．７ｍｍ（ｎ１／ｎ２＝０．５２）で８６個実装した以外は、ＬＥＤ配置方法３と同様にして、バックライト評価装置を作成した。
２２．ＬＥＤ配置方法２２
白色ＬＥＤを、図２に示すように、ＬＥＤ間隔として縦方向５６．９ｍｍ、横方向２５．６ｍｍ（ｎ１／ｎ２＝０．４５）で１３８個実装した以外は、ＬＥＤ配置方法３と同様にして、バックライト評価装置を作成した。
２３．ＬＥＤ配置方法２３
白色ＬＥＤを、図２に示すように、ＬＥＤ間隔として縦方向６３．３ｍｍ、横方向２８．５ｍｍ（ｎ１／ｎ２＝０．４５）で１０８個実装した以外は、ＬＥＤ配置方法３と同様にして、バックライト評価装置を作成した。
２４．ＬＥＤ配置方法２４
白色ＬＥＤを、図２に示すように、ＬＥＤ間隔として縦方向６６．５ｍｍ、横方向２１．９ｍｍ（ｎ１／ｎ２＝０．３３）で１３５個実装した以外は、ＬＥＤ配置方法３と同様にして、バックライト評価装置を作成した。
【００５３】
次に、本実施例、比較例において使用した光学フィルムについて説明する。
１．光学フィルム１
拡散シート：ＢＳ−９１２（恵和株式会社）
変角光度計（日本電色工業社製ＧＣ５０００Ｌ）を用いて、５５０ｎｍの単色光を入射角６０度で入射させた時の、出光分布のメインピーク角度を測定したところ３８度であった。
２．光学フィルム２
レンズシート：ＰＴＲ７３３（シンファインターテック社製）
変角光度計（日本電色工業社製ＧＣ５０００Ｌ）を用いて、５５０ｎｍの単色光を入射角６０度で入射させた時の、出光分布のメインピーク角度を測定したところ４２度であった。
３．光学フィルム３
ＢＥＦ：ＢＥＦIII（住友３Ｍ社製）
変角光度計（日本電色工業社製ＧＣ５０００Ｌ）を用いて、５５０ｎｍの単色光を入射角６０度で入射させた時の、出光分布のメインピーク角度を測定したところ２７度であった。
４．光学フィルム４
ＤＢＥＦ：ＤＢＥＦ−Ｄ４００（住友３Ｍ社製）
【００５４】
［実施例１］
プレス原板２を所定形状に賦形されたプレス金型に挟み込んで、プレス機に投入し、プレス板温度１８０℃、面圧１００ｋｇ／ｃｍ2の条件で、３０分間プレスした後、プレス原板２を挟み込んだプレス金型を水冷却したプレス機に入れ替え、１０分間冷却した。冷却後、プレス金型から所定の形状に賦形された厚さ１．５ｍｍの光拡散板を取り出した。
得られた光拡散板は、光源面側の表面が算術平均粗さ１２μｍの凹凸形状を有するマット形状であり、反光源面側の表面に略正四角錐形状の凹部が格子状に周期的に形成されていた。実施例１の光拡散板の概略図を図３及び図４に示す。なお、図３、４において、ｘ及びｙは、それぞれ、画面（光拡散板の水平面）横（長手）方向、画面（光拡散板の水平面）縦（短手）方向を示す。
また、この光拡散板の凹部の直線の割合（Ｃ）は８１％、凹部の内側面の平面部と光拡散板の水平面との交差角（Ｅ）は３８度、凹部の配列ピッチは３００μｍであった。
さらに、この光拡散板について、光源面及び反光源面から全光線透過率（Ａ）及び（Ｂ）を測定したところ、（Ａ）が８８％、（Ｂ）が６６％であった。
上記の通り作成した光拡散板をＬＥＤバックライト１に装着し、該光拡散板の上に拡散シートを２枚、ＢＥＦＩＩＩを１枚、ＤＢＥＦＤを１枚重ねて置き、輝度、及び輝度ムラを測定したところ、輝度は５２４０ｃｄ／ｃｍ2で輝度ムラは０．００４４となり、良好な結果を示した。評価結果は表１に示す。
【００５５】
［実施例２〜４、１２、１３］
プレス金型を変更して交差角（Ｅ）を変更した以外は実施例１と同様にして光拡散板を作成し、実施例１と同様にしてバックライトの輝度、輝度ムラを測定した。各実施例の光拡散板はいずれも、輝度、輝度ムラ共に良好な結果を示し、特に実施例３、４及び１２は輝度ムラが著しく優れる結果となった。評価結果は表１に示す。
【００５６】
[実施例５]
光拡散板作成にプレス原板１を使用した以外は、実施例４と同様にして光拡散板を作成し、バックライトの輝度、輝度ムラを測定したところ、輝度は５１９０ｃｄ／ｃｍ2で輝度ムラは０．００４２となり、良好な結果を示した。評価結果は表１に示す。
[実施例６]
光拡散板作成にプレス原板３を使用した以外は、実施例４と同様にして光拡散板を作成し、バックライトの輝度、輝度ムラを測定したところ、輝度は５２３０ｃｄ／ｃｍ2で輝度ムラは０．００１９となり、特に輝度ムラに優れる結果を示した。評価結果は表１に示す。
[実施例７]
光拡散板作成にプレス原板４を使用した以外は、実施例４と同様にして光拡散板を作成し、バックライトの輝度、輝度ムラを測定したところ、輝度は５２５０ｃｄ／ｃｍ2で輝度ムラは０．００４１となり、良好な結果を示した。評価結果は表１に示す。
【００５７】
[実施例８〜１１、３３]
プレス金型を変更して直線の割合（Ｃ）を変更した以外は実施例４と同様にして光拡散板を作成し、バックライトの輝度、輝度ムラを測定した。各実施例の光拡散板はいずれも、輝度、輝度ムラ共に良好な結果を示し、特に実施例８、９、３３は輝度ムラが著しく優れる結果となった。評価結果は表１に示す。
[実施例１４]
バックライトの輝度、輝度ムラを測定する際に使用する光学フィルムをレンズシートの３枚重ねに変更した以外は、実施例４と同様にして光拡散板を作成し、バックライトの輝度、輝度ムラを測定した。輝度は５２００ｃｄ／ｃｍ2で輝度ムラは０．００２４となり、著しく優れる結果を示した。評価結果は表１に示す。
[比較実施例１]
実施例４と同様にして光拡散板を作成し、その上に、レンズシートを２枚、ＤＢＥＦＤを１枚重ね、輝度、輝度ムラを測定した。輝度は４８３０ｃｄ／ｃｍ2で輝度ムラは０．００９６となり、輝度ムラ低減と輝度向上は両立できたが、実施例４と比べると輝度が低く、輝度ムラ値が大きい結果を示した。評価結果は表１に示す。
[比較実施例２]
実施例４と同様にして光拡散板を作成し、その上に、レンズシート、ＢＥＦＩＩＩ、ＤＢＥＦＤの順に１枚ずつ重ね、輝度、輝度ムラを測定した。輝度は５３１０ｃｄ／ｃｍ2で輝度ムラは０．００８３となり、輝度ムラ低減と輝度向上は両立できたが、実施例４と比べると輝度ムラが大きい値を示した。評価結果は表１に示す。
【００５８】
[実施例１５]
プレス金型を変更して反光源面側の表面に図１１に示すような、略正三角錐形状の凹部を格子状に形成した。以外は、実施例１と同様にして光拡散板を作成した。なお、図１１において、ｘ及びｙは、それぞれ、画面（光拡散板の水平面）横方向、画面（光拡散板の水平面）縦方向を示す。
この光拡散板の直線の割合（Ｃ）は６０％、凹部の内側面の平面部と光拡散板の水平面との交差角（Ｅ）は５０度、略正六角錐形状の凹部配列ピッチは３００μｍであった。
輝度は５２２０ｃｄ／ｃｍ2で輝度ムラは０．００１６となり、特に優れる性能を示した。評価結果は表１に示す。
【００５９】
[比較例１]
プレス原板６を所定形状に賦形されたプレス金型に挟み込んで、プレス機に投入し、プレス板温度１８０℃、面圧１００ｋｇ／ｃｍ2の条件で、３０分間プレスした後、プレス原板２を挟み込んだプレス金型を水冷却したプレス機に入れ替え、１０分間冷却した。冷却後、プレス金型から所定の形状に賦形された厚さ１．５ｍｍの光拡散板を取り出した。
得られた光拡散板の形状は、光源面側、反光源面側共に算術平均粗さ１２μｍの凹凸形状を有するマット形状であった（ただし、略逆多角錐又は多角錐台形状の凹部は存在していなかった）。
又、前記光拡散板について、光源面及び反光源面から全光線透過率（Ａ）及び（Ｂ）を測定したところ、（Ａ）が５７％、（Ｂ）が５７％であった。
上記の通り作成した光拡散板をＬＥＤバックライト１に装着し、該光拡散板の上に拡散シートを２枚、ＢＥＦＩＩＩを１枚、ＤＢＥＦＤを１枚重ねて置き、輝度、及び輝度ムラを測定したところ、輝度は５２３０ｃｄ／ｃｍ2で輝度ムラは０．０１１３となり、輝度ムラ値が甚大であった。
【００６０】
[比較例２]
直線の割合（Ｃ）を１００％とした（凹部の曲面をなくして、その形状を逆正四角錐とした）以外は実施例４と同様にして光拡散板を作成し、バックライトの輝度、輝度ムラを測定したところ、輝度は４６９０ｃｄ／ｃｍ2で輝度ムラは０．００３４となり、輝度が低い値を示した。評価結果は表１に示す。
[比較例３]
プレス金型を変更して、交差角（Ｅ）を４５度とした以外は比較例２と同様に光拡散板を作成し、バックライトの輝度、輝度ムラを測定した。その結果、輝度は４６６０ｃｄ／ｃｍ2で輝度ムラは０．００３８となり、比較例２同様輝度が低い値を示した。評価結果は表１に示す。
【００６１】
[比較例４]
プレス金型を変更して、反光源面側の表面に図１２に示すような凸部を格子状に形成した以外は、比較例３と同様にして光拡散板を作成し、バックライトの輝度、輝度ムラを測定した。その結果、輝度は４４９０ｃｄ／ｃｍ2で輝度ムラは０．００６４となり、輝度が低く、輝度ムラ値も大きい値を示した。評価結果は表１に示す。なお、図１２において、ｘ及びｙは、それぞれ、画面（光拡散板の水平面）横方向、画面（光拡散板の水平面）縦方向を示す。
なお、上記凸部の交差角（Ｅ）は４５度、直線の割合（Ｃ）は１００％であった。
[比較例１４]
プレス金型を変更して、反光源面側の表面に図１５に示すような三角柱状の畝状凸部を形成した以外は、比較例３と同様にして光拡散板を作成し、バックライトの輝度、輝度ムラを測定した。その結果、輝度は５２００ｃｄ／ｃｍ2で輝度ムラは０．０１６７となり、輝度ムラ値が甚大となった。評価結果は表１に示す。なお、図１５において、ｘ及びｙは、それぞれ、画面（光拡散板の水平面）横方向、画面（光拡散板の水平面）縦方向を示す。
なお、上記凸部の交差角（Ｅ）は５０度、直線の割合（Ｃ）は７６％であった。
[比較実施例５]
光拡散板作成にプレス原板５を使用した以外は、実施例４と同様にして光拡散板を作成し、バックライトの輝度、輝度ムラを測定した。その結果、輝度は５１８０ｃｄ／ｃｍ2で輝度ムラは０．００６７となり、輝度は優れていたが、輝度ムラ値がやや大きい値を示した。価結果は表１に示す。
【００６２】
[比較実施例６、７]
プレス金型を変更して凹部の交差角（Ｅ）を表１の通り変更した以外は実施例１と同様にして光拡散板を作成し、実施例１と同様にしてバックライトの輝度、輝度ムラを測定した。その結果、比較実施例６、７の光拡散板は、共に、輝度は優れていたが、輝度ムラ値がやや大きい値を示した。評価結果は表１に示す。
[比較実施例８]
プレス金型を変更して凹部の直線の割合（Ｃ）を２７％に変更した以外は実施例４と同様にして光拡散板を作成し、バックライトの輝度、輝度ムラを測定した。その結果、輝度は５２３０ｃｄ／ｃｍ2で輝度ムラは０．００６６となり、輝度は優れていたが、輝度ムラ値がやや大きい値を示した。評価結果は表１に示す。
【００６３】
[実施例１６〜２６、３４〜４１]
ＬＥＤ配置方法を表２の通り変更した以外は、実施例４と同様にして光拡散板を作成し、バックライトの輝度、輝度ムラを測定した。具体的には、実施例４と１６、実施例１７〜１９、実施例２０と２１、実施例２２と２３、実施例２４と２５、実施例３５と３６、そして実施例３９と４０がそれぞれＬＥＤの配置形状が同じ（相似形）で、ＬＥＤ間隔が異なる配置をとる関係になっており、いずれのＬＥＤ配置形状が良好な輝度ムラを保持し、且つ最もＬＥＤ個数を削減できるかについて評価を行った。その結果、ｎ１／ｎ２＝０．５２、０．５８、０．６５、１．７３の千鳥格子形状でＬＥＤを配置する場合が最もＬＥＤ個数を削減できる結果となった。結果は表２に示す。
【００６４】
[比較例９〜１１]
ＬＥＤ配置方法を表２の通り変更した以外は、比較例１と同様にして光拡散板を作成し、バックライトの輝度、輝度ムラを測定した。ＬＥＤ配置１２〜１４の格子状ＬＥＤ配置形状で評価を行ったが、比較例１で作成した光拡散板を用いた場合は、ＬＥＤ間隔を縮め、ＬＥＤを多数配置してはじめて輝度ムラが低減される結果となった。評価結果は表２に示す。
[比較例１２、１３]
ＬＥＤ配置方法を表２の通り変更した以外は、比較例４と同様にして光拡散板を作成し、バックライトの輝度、輝度ムラを測定した。ＬＥＤ配置１２、１５の格子状ＬＥＤ配置形状で評価を行ったが、比較例４で作成した光拡散板を用いた場合は、ＬＥＤ間隔を縮め、ＬＥＤを多数配置してはじめて輝度ムラが低減される結果となった。評価結果は表２に示す。
【００６５】
[実施例２７〜２９]
拡散板反光源面側の凹部稜線方向の回転角（Ｆ）を変更した以外は、実施例４と同様にして光拡散板を作成し、バックライトの輝度、輝度ムラを測定した。その結果、各実施例の光拡散板はいずれも良好な輝度及び輝度ムラ値を示し、特に実施例２９は実施例４同様、著しく優れる輝度ムラ値を示した。評価結果は表３に示す。
[実施例３０〜３２]
拡散板反光源面側の凹部稜線方向の回転角（Ｆ）を変更した以外は、実施例１７と同様にして光拡散板を作成し、バックライトの輝度、輝度ムラを測定した。その結果、各実施例の光拡散板はいずれも、良好な輝度及び輝度ムラ値を示し、特に実施例３２は実施例１７同様、著しく優れる輝度ムラ値を示した。評価結果は表３に示す。
【００６６】
【表１】
2010117707.tif 000003
【表２】
2010117707.tif 000004
【表３】
2010117707.tif 000005
【産業上の利用可能性】
【００６７】
本発明の光拡散板は、所望のバックライト厚み、少ない個数の点光源を配置したバックライト装置に対して好適に使用することができ、例えば、ＬＥＤ光源液晶テレビ、ＬＥＤ光源看板、ＬＥＤ光源照明等幅広い用途に対して有用である。
【符号の説明】
【００６８】
ｍ１：バックライト横方向のＬＥＤ間距離（格子状配置）
ｍ２：バックライト縦方向のＬＥＤ間距離（格子状配置）
ｎ１：バックライト横方向のＬＥＤ間距離（千鳥状配置）
ｎ２：バックライト縦方向のＬＥＤ間距離（千鳥状配置）
Ｏ：光拡散板凹部の開口の縁（傾斜面最上部）
Ｑ：光拡散板凹部の略逆四角錐の頂点（傾斜面最下部）
Ｐ１：直線部の最上点
Ｐ２：直線部の最下点
ａ１：直線部（Ｐ１−Ｐ２間）を水平線方向に投影した際の長さ
ａ２：内側面に該当する部分（Ｏ−Ｑ間）を水平線方向に投影した際の長さ
ｈ１：ＬＥＤ最上部と光拡散板下面の距離
ｈ２：反射板上部と光拡散板下面の距離
ｅ１〜ｅ３：モニター中心に最も近いＬＥＤ直上を通る３本の縦ライン
ｆ１〜ｆ３：モニター中心に最も近いＬＥＤ直上を通る３本の横ライン
１：拡散板
２：ＬＥＤ
３：反射板
４：ＰＣＢ
ｘ：画面（光拡散板の水平面）横（長手）方向
ｙ：画面（光拡散板の水平面）縦（短手）方向
【図１】
2010117707.tif 000006
【図２】
2010117707.tif 000007
【図３】
2010117707.tif 000008
【図４】
2010117707.tif 000009
【図５】
2010117707.tif 000010
【図６】
2010117707.tif 000011
【図７】
2010117707.tif 000012
【図８】
2010117707.tif 000013
【図１０】
2010117707.tif 000014
【図１１】
2010117707.tif 000015
【図１２】
2010117707.tif 000016
【図１３】
2010117707.tif 000017
【図１４】
2010117707.tif 000018
【図９】
2010117707.tif 000019
【図１５】
2010117707.tif 000020
【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
表面に複数の凹部を有する光拡散板であって、
該凹部が、略逆多角錐又は略逆多角錐台形状であり、
該凹部の少なくとも１つの内側面は、開口縁部において、曲率中心が凹部の深さ方向側に位置する曲面となっており、
前記凹部が、光拡散板の水平面の短手方向及び長手方向に対して対称な内側面を一組以上有し、
反光源面側から入射した光のＪＩＳ  Ｋ−７３６１に準拠して測定した全光線透過率（Ａ）が６５〜１００％であり、かつ
光源面側から入射した光のＪＩＳ  Ｋ−７３６１に準拠して測定した全光線透過率（Ｂ）が３０〜８０％である点光源用光拡散板。
【請求項２】
前記全光線透過率（Ａ）が７０〜９５％、且つ全光線透過率（Ｂ）が４５〜６５％である請求項１に記載の点光源用光拡散板。
【請求項３】
以下に定義する交差角（Ｅ）が３８〜５５度である、請求項２に記載の点光源用光拡散板：
交差角（Ｅ）とは、光拡散板の水平面に対して垂直な面(縦断面)で、逆多角錐形状凹部の頂点又は逆多角錐台形状凹部の底面を通り、かつ、前記開口縁部において曲率中心が凹部の深さ方向側に位置する曲面となっている内側面を垂直に横切るように切断したときに現れる断面において、直線部と光拡散板の表面に水平な線とが成す角である。
【請求項４】
前記交差角（Ｅ）が４８〜５２度である、請求項３に記載の点光源用光拡散板。
【請求項５】
下記式（１）で表される直線部の割合（Ｃ）が３０％〜９５％であり、且つ、下記式（２）で表される曲線部の割合（Ｄ）が５〜７０％である、請求項４に記載の点光源用光拡散板。
（Ｃ）＝ａ１／ａ２×１００（％）            ・・・・（１）
（Ｄ）＝（ａ２−ａ１）／ａ２×１００（％）  ・・・・（２）
（式中、ａ１は光拡散板を、光拡散板の水平面に対して垂直な面(縦断面)で、逆多角錐形状凹部の頂点又は逆多角錐台形状凹部の底面を通り、かつ、前記開口縁部において曲率中心が凹部の深さ方向側に位置する曲面となっている内側面を垂直に横切るように切断したときに現れる断面において、直線部を光拡散板の水平線方向に投影した投影線の長さであり、
ａ２は前記断面において、内側面に該当する部分を光拡散板の水平線方向に投影したときの投影線の長さを示す。）
【請求項６】
前記凹部が片面にのみ形成されている、請求項５に記載の点光源用光拡散板。
【請求項７】
前記凹部が周期的に形成されており、光拡散板の長手方向及び短手方向の配列ピッチがいずれも１０〜１０００μｍである、請求項６に記載の点光源用光拡散板。
【請求項８】
前記凹部が形成された面とは反対側の面の算術平均粗さが１〜１５０μｍである、請求項７に記載の点光源用光拡散板。
【請求項９】
点光源を配置した光源部と、請求項１から８のいずれかに記載の光拡散板とを備えた直下型点光源バックライト装置。
【請求項１０】
前記点光源が格子状、又は千鳥状に配置された、請求項９に記載の直下型点光源バックライト装置。
【請求項１１】
前記点光源が千鳥状に配置された、請求項１０に記載の直下型点光源バックライト装置。
【請求項１２】
前記点光源が、光のピーク角が２０°から８０°の広角ＬＥＤ光源である、請求項１１に記載の直下型点光源バックライト装置。
【請求項１３】
長手方向の点光源間距離をｍ１、短手方向の点光源間距離をｍ２としたとき、ｍ１／ｍ２が０．５〜２である請求項１１に記載の直下型バックライト装置。
【請求項１４】
長手方向の点光源間距離をｎ１、短手方向の点光源間距離をｎ２としたとき、ｎ１／ｎ２が０．２６〜３．８７である、請求項１１に記載の直下型点光源バックライト装置。
【請求項１５】
前記ｎ１／ｎ２が０．４６〜０．８３又は１．２０〜２．１８である、請求項１４に記載の直下型点光源バックライト装置。
【請求項１６】
点光源が千鳥状に配置され、前記ｎ１／ｎ２が０．５１〜０．６６又は１．５２〜１．９６である、請求項１５に記載の直下型点光源バックライト装置。
【請求項１７】
さらに、
反射板と、
集光性を有する３枚以上の光学シートと、
を備えた請求項１１に記載の直下型点光源バックライト装置。
【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
表面に複数の凹部を有する光拡散板であって、
該凹部が、略逆多角錐又は略逆多角錐台形状であり、
該凹部の少なくとも１つの内側面は、開口縁部において、曲率中心が凹部の深さ方向側に位置する曲面と平面部から構成される、点光源用光拡散板。
【請求項２】
前記凹部が、光拡散板の水平面の短手方向及び長手方向に対して対称な内側面を一組以上有する、請求項１に記載の点光源用光拡散板。
【請求項３】
反光源面側から入射した光のＪＩＳ  Ｋ−７３６１に準拠して測定した全光線透過率（Ａ）が６５〜１００％である、請求項１に記載の点光源用光拡散板。
【請求項４】
光源面側から入射した光のＪＩＳ  Ｋ−７３６１に準拠して測定した全光線透過率（Ｂ）が３０〜８０％である、請求項３に記載の点光源用光拡散板。
【請求項５】
前記全光線透過率（Ａ）が７０〜９５％、且つ全光線透過率（Ｂ）が４５〜６５％である請求項４に記載の点光源用光拡散板。
【請求項６】
以下に定義する交差角（Ｅ）が３８〜５５度である、請求項５に記載の点光源用光拡散板：  交差角（Ｅ）とは、光拡散板の水平面に対して垂直な面(縦断面)で、逆多角錐形状凹部の頂点又は逆多角錐台形状凹部の底面を通り、かつ、前記開口縁部において曲率中心が凹部の深さ方向側に位置する曲面となっている内側面を垂直に横切るように切断したときに現れる断面において、直線部と光拡散板の表面に水平な線とが成す角である。
【請求項７】
前記交差角（Ｅ）が４８〜５２度である、請求項６に記載の点光源用光拡散板。
【請求項８】
下記式（１）で表される直線部の割合（Ｃ）が３０％〜９５％であり、且つ、下記式（２）で表される曲線部の割合（Ｄ）が５〜７０％である、請求項７に記載の点光源用光拡散板。
（Ｃ）＝ａ１／ａ２×１００（％）            ・・・・（１）
（Ｄ）＝（ａ２−ａ１）／ａ２×１００（％）  ・・・・（２）
（式中、ａ１は光拡散板を、光拡散板の水平面に対して垂直な面(縦断面)で、逆多角錐形状凹部の頂点又は逆多角錐台形状凹部の底面を通り、かつ、前記開口縁部において曲率中心が凹部の深さ方向側に位置する曲面となっている内側面を垂直に横切るように切断したときに現れる断面において、直線部を光拡散板の水平線方向に投影した投影線の長さであり、
ａ２は前記断面において、内側面に該当する部分を光拡散板の水平線方向に投影したときの投影線の長さを示す。）
【請求項９】
前記凹部が片面にのみ形成されている、請求項８に記載の点光源用光拡散板。
【請求項１０】
前記凹部が周期的に形成されており、光拡散板の長手方向及び短手方向の配列ピッチがいずれも１０〜１０００μｍである、請求項９に記載の点光源用光拡散板。
【請求項１１】
前記凹部が形成された面とは反対側の面の算術平均粗さが１〜１５０μｍである、請求項１０に記載の点光源用光拡散板。
【請求項１２】
点光源を配置した光源部と、請求項１から１１のいずれかに記載の光拡散板とを備えた直下型点光源バックライト装置。
【請求項１３】
前記点光源が格子状、又は千鳥状に配置された、請求項１２に記載の直下型点光源バックライト装置。
【請求項１４】
前記点光源が千鳥状に配置された、請求項１２に記載の直下型点光源バックライト装置。
【請求項１５】
前記点光源が、光のピーク角が２０°から８０°の広角ＬＥＤ光源である、請求項１４に記載の直下型点光源バックライト装置。
【請求項１６】
長手方向の点光源間距離をｍ１、短手方向の点光源間距離をｍ２としたとき、ｍ１／ｍ２が０．５〜２である請求項１４に記載の直下型点光源バックライト装置。
【請求項１７】
長手方向の点光源間距離をｎ１、短手方向の点光源間距離をｎ２としたとき、ｎ１／ｎ２が０．２６〜３．８７である、請求項１４に記載の直下型点光源バックライト装置。
【請求項１８】
前記ｎ１／ｎ２が０．４６〜０．８３又は１．２０〜２．１８である、請求項１７に記載の直下型点光源バックライト装置。
【請求項１９】
点光源が千鳥状に配置され、前記ｎ１／ｎ２が０．５１〜０．６６又は１．５２〜１．９６である、請求項１８に記載の直下型点光源バックライト装置。
【請求項２０】
さらに、
反射板と、
集光性を有する３枚以上の光学シートと、
を備えた請求項１４に記載の直下型点光源バックライト装置。